(57)【特許請求の範囲】
【請求項１】
先端にそれぞれ収容部を有する一対の挟持部材を備え、
前記収容部は、それぞれ開口周縁に当接面を有する半球状のカップ部材からなり、前記当接面同士が当接することにより、内部に保持空間が形成されるマダニ取り具。
【請求項２】
前記収容部の先端側における前記当接面の幅は、０.１〜０.９ｍｍである請求項１に記載のマダニ取り具。
【請求項３】
前記一対の挟持部材は、基端部においてピンセット状に連結されている請求項１又は２に記載のマダニ取り具。
【発明の詳細な説明】
【技術分野】
【０００１】
本発明は、ペット等の動物に咬着したマダニを除去するマダニ取り具に関する。
【背景技術】
【０００２】
犬や猫などの動物にマダニが寄生すると、例えば、バベシア症などの感染病や、貧血の原因となるので、マダニを除去する必要がある。従来、マダニを除去する場合には、手やピンセットで摘むことにより、マダニの胴体部を挟持し、動物から引き離していた。
【発明の開示】
【発明が解決しようとする課題】
【０００３】
しかし、マダニが動物に寄生する場合、動物の皮膚を顎体部で強固に挟んで咬着しており、マダニを除去する際に、手やピンセットで摘む方法では、マダニ全体を確実に保持することができず、マダニの体の一部が動物に咬着したまま残存することがあり、その咬着部分から化膿するおそれがあった。
【０００４】
一方、マダニを確実に保持するために強く挟持すると、胴体部を圧迫することによりマダニ体内に寄生する病原菌が吸血した血液やマダニの体液と共に咬着部分から動物の体内へ流入し、動物が病原菌に感染するおそれがあった。また、マダニが潰れて、吸血した血液がマダニの体内から漏出することがあった。
【０００５】
本発明は、上記問題を解決するためになされたものであって、衛生的かつ確実にマダニを除去することができるマダニ取り具の提供を目的とする。
【課題を解決するための手段】
【０００６】
本発明の前記目的は、先端にそれぞれ収容部を有する一対の挟持部材を備え、前記収容部は、それぞれ開口周縁に当接面を有する半球状のカップ部材からなり、前記当接面同士が当接することにより、内部に保持空間が形成されるマダニ取り具により達成される。
【０００７】
また、前記収容部の先端側における前記当接面の幅は、０.１〜０.９ｍｍであることが好ましい。
【０００８】
また、前記一対の挟持部材は、基端部においてピンセット状に連結されていることが好ましい。
【発明の効果】
【０００９】
本発明のマダニ取り具によれば、衛生的かつ確実にマダニを除去することができる。
【発明を実施するための最良の形態】
【００１０】
以下、本発明の実態形態について添付図面を参照して説明する。図１は、本発明の一実施形態に係るマダニ取り具１の平面図、図２は、このマダニ取り具１の横断面図、図３は、このマダニ取り具１の要部を示す斜視図である。
【００１１】
図１及び図２に示すように、マダニ取り具１は、先端にそれぞれ収容部４、４を有する一対の挟持部材２、２を備えている。マダニ取り具１の材質としては、例えば、鉄、アルミニウム、銅、チタンやそれらの合金、鋼、真鍮、ゴム、プラスチック、セラミックス、竹などが挙げられ、これらの材質を組み合わせた複合材質としてもよい。
【００１２】
一対の挟持部材２、２は、弾性を有する細長い板状の部材が収容部４、４の反対側に備えられた基端部３から二股に分岐するように重ねられ、基端部３においてピンセット状に連結されており、両者を接近させるように押圧するときに互いに離れる方向へ弾発力が得られるように構成されている。本実施形態では、一対の挟持部材２、２は、２つの板状部材を重ねることにより構成されているが、細長い板状の部材を中央部で折り返すことにより、一体的に形成されていてもよい。
【００１３】
また、挟持部材２、２は、長手方向中央部の表面側に、突状の滑り止め１３を複数有する把持部１２を備えている。滑り止め１３の形状は、本実施形態では長方形状であるが、把持部１２を把持した際に滑りを防止することができるのであれば、特に限定されるものではなく、また、挟持部材２、２を凸状の金型で押圧することにより、凹状に成型したものであってもよい。
【００１４】
収容部４、４は、それぞれ開口周縁に当接面１５、１５を有する半球状のカップ部材からなり、当接面１５、１５同士が当接することにより、内部に保持空間が形成される。ここで、「半球状」とは、表面が滑らかな曲面形状であればよく、半円球形状や半楕円球形状のいずれも含まれる。収容部４、４は、半楕円球形状の場合には、楕円の長径が挟持部材２、２の長手方向に沿うように構成されていることが好ましい。収容部４、４の径及び深さは、飽血して肥大したマダニを潰さずに保持空間に確実に保持することができ、かつ、実用的に使用できるのであれば、特に限定はされないが、収容部４、４が半楕円球形状の場合には、長径は、７.５ｍｍ〜１６ｍｍが好ましく、９.０ｍｍ〜１４ｍｍがより好ましい。また、短経は、７.５ｍｍ〜１４ｍｍが好ましく、８.０ｍｍ〜１２ｍｍがより好ましい。また、深さは、２.５ｍｍ〜６.０ｍｍが好ましく、３.０ｍｍ〜５.０ｍｍがより好ましい。
【００１５】
挟持部材２、２は、可撓性を有しており、押圧することにより当接面１５、１５同士を互いに当接させる際に先端側から当接するように、若干湾曲している。
【００１６】
次に、以上のように構成されたマダニ取り具１を用いてマダニを除去する方法を説明する。
【００１７】
マダニが動物の皮膚に咬着している状態において、把持部１２を押圧して収容部４、４を互いに近接させることにより、収容部４、４間にマダニを保持する。この時、マダニの顎体部が収容部４、４の先端側における当接面１５、１５間に挟持され、胴体部が収容部４、４間に形成された保持空間に保持される。そして、マダニを保持した状態で、動物から引き離すことによりマダニを除去する。
【００１８】
本実施形態のマダニ取り具１によれば、収容部４、４が半球状であるので、動物の皮膚に対するマダニ取り具１の方向に拘わらず、動物の皮膚を傷付けずにマダニを確実に除去することができる。また、収容部４、４が当接面１５、１５を互いに当接させて保持空間を形成するように構成されており、マダニをその保持空間に保持するので、当接面１５、１５によりマダニの顎体部を確実に挟持できる一方、マダニの胴体部を圧迫しないため、マダニを潰すことなく確実に保持することができ、マダニの体液や吸血した血液を圧迫により漏出させることなく、衛生的にマダニを除去することができる。
【００１９】
また、一対の挟持部材２、２は、ピンセット状に連結されているので、把持部１２の押圧力を緩めることにより、弾発力で互いに離れて、保持しているマダニを落下させることができ、マダニを手で触ることなく容易に除去することができる。マダニ取り具１のバネ圧は、弾発力があれば特に限定されるものではないが、使用者の精神的及び肉体的な疲労度の軽減の観点から、０.３〜０.６ｋｇｆが好ましい。ここで、マダニ取り具１のバネ圧は、マダニ取り具１を平面上に載置し、図２の矢示Ｆで示すように、一方の挟持部材２を他方の挟持部材２に接近させるように挟持部材２の中央部を押圧してゆき、収容部４、４の先端部が互いに接触したときに挟持部材２を押圧する力で表される。
【００２０】
本実施形態の収容部４、４において、先端側の当接面１５の幅が狭すぎると、マダニを当接面１５、１５で挟持した時に切断してしまい、マダニの一部が動物の皮膚に咬着したまま残存することがある。一方、幅が広すぎると、マダニの胴部を圧迫して潰してしまい、衛生的に除去できなくなるおそれがある。したがって、収容部４の先端側における当接面１５の幅は、後述する実施例から、０.１〜０.９ｍｍが好ましく、０.２〜０.７ｍｍがより好ましく、０.３〜０.５ｍｍが更に好ましい。
【００２１】
以上、本発明の一実施形態について説明したが、本発明の具体的な態様は、上記実施形態に限定されるものではない。
【００２２】
例えば、本実施形態では、一対の挟持部材２、２は、基端部３でピンセット状に連結されていたが、収容部４、４によりマダニを確実に保持することができるのであれば、その構成は特に限定されず、それぞれ別体であってもよく、あるいは、図４に示すように、基端部３、３にそれぞれ設けられた環状の把持部１２、１２を備え、回動軸１６により回動可能に支持された構成であってもよい。このような構成によれば、把持部１２、１２に指を入れて互いに開くことにより、挟持部材２、２を回動させて収容部４、４を互いに開く。その後、把持部１２、１２を互いに閉じることにより、収容部４、４を互いに閉じ、収容部４、４間にマダニを保持する。
【００２３】
また、収容部４、４は、図６に示すように、表面にプラスチックなどの被膜２０がコーティングされていてもよく、また、メッキ加工がされていてもよい。また、被膜２０には、抗菌剤や殺虫剤が含まれていてもよい。
【実施例】
【００２４】
以下、実施例及び比較例を用いて、本発明を更に詳細に説明する。ただし、本発明が本実施形態に限定されるものではない。
【００２５】
実施例１
収容部４の先端側における当接面１５の幅の好ましい範囲を確認するため、毛抜きの先端部の挟持面を用い、マダニの幼虫、若虫及び成虫について、それぞれ、図５の斜線部分で示すように、マダニの押圧面の幅Ｗを調整しながら、マダニを押圧する試験を行った。
【００２６】
飽血状態のマダニを用い、斜線で示す押圧面の一端（図５では右端）をマダニの口器に一致させた状態で、紙面に垂直な方向へ押圧した。これをマダニが潰れるまで押圧面の幅Ｗを広くして繰り返した。
【００２７】
【表１】
0004476215.tif 000002
その結果、表１に示すように、マダニの幼虫については、押圧面の幅Ｗを１.００ｍｍにしたときに潰れて、体液や吸血した血液が漏出した。一方、若虫及び成虫については、押圧面の幅Ｗを１.００ｍｍにしても潰れなかった。また、マダニの幼虫は、押圧面の幅Ｗを０.７０ｍｍにしても潰れなかった。
【００２８】
この結果から、マダニを潰さず衛生的に除去するためには、収容部４の先端側における当接面１５の幅は、０.９０ｍｍ以下が好ましく、０.７０ｍｍ以下がより好ましいことが確認できた。
【００２９】
実施例２
図１に示すマダニ取り具１（実施例）及び一般的なピンセット（比較例）を用いて、３名の試験者により、動物の皮膚に咬着したマダニを除去した。
【００３０】
マダニ取り具１は、収容部４の長径、短径及び深さが、それぞれ、１０.３ｍｍ、８.５ｍｍ、３.１ｍｍであり、先端側における当接面１５の幅が０.２ｍｍのものとした。
【００３１】
また、ピンセットは、先端部分の幅が２.０ｍｍのものを用いた。
【００３２】
また、マダニは、幼虫、若虫及び成虫の各発育段階のものを用いた。試験に用いたマダニの全長、幅及び高さを、未吸血と飽血の別でそれぞれ表２に示す。図５に示すように、全長Ｌは、マダニの口器先端から胴体部末端までの長さであり、幅Ｂは、マダニの体軸と直角な方向の長さであり、高さは、マダニを地面に置いたときの地面から頂部までの長さである。
【００３３】
【表２】
0004476215.tif 000003
各試験者とも各発育段階のマダニについて、実施例及び比較例により、それぞれ５回の反復試験を行い、除去時間、操作回数及び落下率を測定した。ここで、除去時間は、マダニを除去するのに要した時間であり、操作回数は、マダニの除去を試みた回数であり、落下率は、マダニを除去した後に誤って落とした割合である。除去時間及び操作回数は、全試験（計４５回）の平均値を求めた。
【００３４】
【表３】
0004476215.tif 000004
その結果、表３に示すように、マダニ取り具１（実施例）は、除去時間、操作回数及び落下率共に、ピンセット（比較例）より低い値を示しており、マダニを容易かつ確実に除去できることが確認できた。
【図面の簡単な説明】
【００３５】
【図１】本発明の一実施形態に係るマダニ取り具の平面図である。
【図２】図１に示すマダニ取り具の横断面図である。
【図３】図１に示すマダニ取り具の要部を示す斜視図である。
【図４】他の実施形態に係るマダニ取り具の側面図である。
【図５】マダニの押圧試験を説明するための図である。
【図６】他の実施形態に係るマダニ取り具の要部を示す横断面図である。
【符号の説明】
【００３６】
１  マダニ取り具
２  挟持部材
３  基端部
４  収容部
１２  把持部
１３  滑り止め
１５  当接面
１６  回動軸
２０  被膜
【図１】
0004476215.tif 000005
【図２】
0004476215.tif 000006
【図３】
0004476215.tif 000007
【図４】
0004476215.tif 000008
【図５】
0004476215.tif 000009
【図６】
0004476215.tif 000010